(57)【特許請求の範囲】
【請求項１】
サッシ枠の上下枠間に２枚戸又は４枚戸の引き違いサッシ戸を幅方向引き違い開閉自在に上吊り装着し且つ該上吊り装着状態でサッシ枠から独立して引き違いサッシ戸をそれぞれ単独に折畳み自在とした折畳み引き違いサッシであって，上記引き違いサッシ戸の上吊り装着をそれぞれ上枠に上吊り部材を介して上吊り支持し，下枠に振止部材を嵌挿係合することによって行うとともに上記引き違いサッシ戸を，サッシ戸上框とパネル部を備えて形成し，該パネル部を，一対のパネル要素と，該一対のパネル要素間に該パネル要素を回動自在とするように介設した中間回動枠と，上記一対のパネル要素を回動自在とするように連結配置した戸先框及び召合框又は合掌框を備えて形成し，該パネル部を上記サッシ戸上框に戸先框及び召合框又は合掌框の一方を固定又は吊り支持した状態で戸先框及び召合框又は合掌框の他方を該サッシ戸上框長手方向にスライド自在とすることによって上記サッシ戸上框とサッシ枠の下枠間でパネル部をＶ字状折畳み自在に配置してなることを特徴とする折畳み引き違いサッシ。
【請求項２】
上記サッシ戸上框とサッシ戸パネル部上部間に気密材を配置するとともに下枠とサッシ戸パネル部下部間に気密材を配置してなることを特徴とする請求項１に記載の折畳み引き違いサッシ。
【請求項３】
上記引き違いサッシ戸が，その引き違い開閉状態で折畳みを防止自在とするようにサッシ戸上框とサッシ戸パネル部間に係脱自在のロックを備えてなることを特徴とする請求項１又は２に記載の折畳み引き違いサッシ。
【請求項４】
上記サッシ戸上框に長手方向に沿う上吊り用ガイドレールを設置し，該ガイドレールにサッシ戸パネル部の戸先框及び召合框又は合掌框の一方に上方突出するように設置した吊り部材を懸架することによって，上記戸先框及び召合框又は合掌框の一方をサッシ戸上框長手方向にスライド自在としてなることを特徴とする請求項１，２又は３に記載の折畳み引き違いサッシ。
【請求項５】
上記Ｖ字状折り畳み自在のサッシ戸パネル部に代えて，偶数にして多数枚のパネル要素と，各パネル要素間に室内外交互に脱出するように介設してこれらパネル要素を連結する複数の中間回動枠を備えて上記戸先框及び召合框又は合掌框間で蛇腹状折畳み自在としたサッシ戸パネル部を用いてなることを特徴とする請求項１，２，３又は４に記載の折り畳み引き違いサッシ。
【発明の詳細な説明】
【０００１】
【発明の属する技術分野】
本発明は建物の開口部に設置する開口部材のサッシに関し，特に折畳み開閉と引き違い開閉の双方を選択的に可能とする折畳み引き違いサッシに関する。
【０００２】
【従来の技術及び発明が解決しようとする課題】
引き違い開閉を行なう開口部材として引き違いサッシが知られ，また折畳み開閉を行なう開口部材として上吊り式の横引き折畳みシャッターが知られており，引き違いサッシは，そのサッシ枠と引き違いサッシ戸との間に気密材を配置することによって高度な気密性を確保し得るが，サッシ戸開成時に得られる開口幅が制約されという問題点があり，横引き折畳みシャッターは折畳み戸を開口部の一端側に寄せるようにして開口部を全開状態とする開放感に溢れた開成をなしうるが，折畳み戸の折畳みを室内外一方に行なうためにシャッター枠に折畳み戸脱出用の切り欠きを設置する必要があるため，シャッター枠と折畳み戸との間で気密性を確保し難いという問題点がある。
【０００３】
本発明はかかる事情に鑑みてなされたもので，その解決課題とするところは，引き違い開閉と折畳み開閉の双方を可能とするとともにサッシ枠にサッシ戸脱出用の切り欠きを不要とした折り畳み引き違いサッシを提供するにある。
【０００４】
【課題を解決するための手段】
上記課題に沿って本発明は，折畳みシャッターのように，サッシ枠にサッシ戸を上吊り装着するとともに該サッシ戸を上吊り装着したサッシ枠の上下枠を，引き違いサッシのように，サッシ戸の引き違い開閉の開閉案内専用とする一方，サッシ戸を上框とパネル部分とを備えて構成するとともに該上框に対してパネル部分を幅方向に折畳み自在とすることによって，上記サッシ枠にサッシ戸を上吊り装着した状態で，サッシ戸をサッシ枠から独立して単独に折畳めるようにしたものであって，即ち請求項１に記載の発明を，サッシ枠の上下枠間に２枚戸又は４枚戸の引き違いサッシ戸を幅方向引き違い開閉自在に上吊り装着し且つ該上吊り装着状態でサッシ枠から独立して引き違いサッシ戸をそれぞれ単独に折畳み自在とした折畳み引き違いサッシであって，上記引き違いサッシ戸の上吊り装着をそれぞれ上枠に上吊り部材を介して上吊り支持し，下枠に振止部材を嵌挿係合することによって行うとともに上記引き違いサッシ戸を，サッシ戸上框とパネル部を備えて形成し，該パネル部を，一対のパネル要素と，該一対のパネル要素間に該パネル要素を回動自在とするように介設した中間回動枠と，上記一対のパネル要素を回動自在とするように連結配置した戸先框及び召合框又は合掌框を備えて形成し，該パネル部を上記サッシ戸上框に戸先框及び召合框又は合掌框の一方を固定又は吊り支持した状態で戸先框及び召合框又は合掌框の他方を該サッシ戸上框長手方向にスライド自在とすることによって上記サッシ戸上框とサッシ枠の下枠間でパネル部をＶ字状折畳み自在に配置してなることを特徴とする折畳み引き違いサッシとしたものである。
【０００５】
請求項２に記載の発明は，上記に加えて，折畳み引き違いサッシ戸としての気密性を簡易且つ確実に確保し得る形態とするように，これを，上記サッシ戸上框とサッシ戸パネル部上部間に気密材を配置するとともに下枠とサッシ戸パネル部下部間に気密材を配置してなることを特徴とする請求項１に記載の折畳み引き違いサッシとしたものである。
【０００６】
請求項３に記載の発明は，同じく上記に加えて，折畳み開閉と引き違い開閉の双方を可能とすることによって，引き違い開閉に際してサッシ戸が誤って折畳まれる誤動作を防止して引き違い開閉を安定且つ確実になし得る形態とするように，これを，上記引き違いサッシ戸が，その引き違い開閉状態で折畳みを防止自在とするようにサッシ戸上框とサッシ戸パネル部間に係脱自在のロックを備えてなることを特徴とする請求項１又は２に記載の折畳み引き違いサッシとしたものである。
【０００７】
請求項４に記載の発明は，同じく上記に加えて，サッシ戸における上框に対してパネル部分の折畳み開閉を可及的安定且つ確実になし得る形態とするように，これを，上記サッシ戸上框に長手方向に沿う上吊り用ガイドレールを設置し，該ガイドレールにサッシ戸パネル部の戸先框及び召合框又は合掌框の一方に上方突出するように設置した吊り部材を懸架することによって，上記戸先框及び召合框又は合掌框の一方をサッシ戸上框長手方向にスライド自在としてなることを特徴とする請求項１，２又は３に記載の折畳み引き違いサッシとしたものである。
【０００８】
請求項５に記載の発明は，同じく上記に加えて，上記サッシ戸パネル部を上記Ｖ字状折り畳み自在のものに代えて蛇腹状折り畳み自在のものとするように，これを，上記Ｖ字状折り畳み自在のサッシ戸パネル部に代えて，偶数にして多数枚のパネル要素と，各パネル要素間に室内外交互に脱出するように介設してこれらパネル要素を連結する複数の中間回動枠を備えて上記戸先框及び召合框又は合掌框間で蛇腹状折畳み自在としたサッシ戸パネル部を用いてなることを特徴とする請求項１，２，３又は４に記載の折り畳み引き違いサッシとしたものである。
【０００９】
本発明はこれらをそれぞれ発明の要旨として上記課題解決の手段としたものである。
【００１０】
【発明の実施の形態】
以下図面の例に従って本発明を更に具体的に説明すれば，Ａは折畳み引き違いサッシ，１０はそのサッシ枠，１１は該サッシ枠１０の上枠，１３は下枠，１５は左右の縦枠，２０は上記サッシ枠１０の上下枠１１，１３間に幅方向引き違い開閉自在に上吊り装着した引き違いサッシ戸であり，該引き違いサッシ戸２０は，これを折畳み自在とすることによって折畳み引き違いサッシＡにおけるサッシ戸の折畳みを可能としたものとしてある。
【００１１】
引き違いサッシ戸２０は，これを，上記サッシ枠１０の上枠１１に上吊り部材２２を介して上吊り支持したサッシ戸上框２１と，該サッシ戸上框２１に一方の幅方向端部を固定又は吊り支持した状態で他方の幅方向端部を該サッシ戸上框２１長手方向にスライド自在とすることによって上記サッシ戸上框２１に対してＶ字状乃至蛇腹状折畳み自在に配置したサッシ戸パネル部３０とを備えて形成したものとしてあり，これによって引き違いサッシ戸２０を，上記サッシ枠１０に上吊り装着した状態で，サッシ枠１０から独立して単独に折畳めるようにしてある。
【００１２】
即ち本例の折畳み引き違いサッシＡは，例えばアルミ押出材又はこれと樹脂，木材等の複合材とによる肘掛窓又はテラス窓用にしてサッシ枠１０に引き違いサッシ戸２０を２枚装着した引き違い２枚戸のものとして構成してあり，引き違いサッシ戸２０のサッシ枠１０への装着は，サッシ戸２０における上記サッシ戸上框２１の幅方向両端部に上方に突出するように設置した上吊り部材２２を，上枠１１に形成した水平浅溝の吊りレール１２に幅方向走行自在に載置係合し，サッシ戸２０における上記サッシ戸パネル部３０の同じく幅方向両端部に下方に突出するように設置した振止部材３９を，下枠１３に形成した上向き開口深溝の溝レール１４に同じく幅方向走行自在に嵌挿係合することによって，上枠１１に上吊り支持するように行なってあり，本例にあって上記上吊り部材２２は吊りレール１２上を転動走行自在としたガイドローラーによるものとし，また振止部材３９は溝レール１４の側壁に遊嵌状に転動走行自在とした振止用水平ローラーによるものとしてあり，このとき本例の上記上吊り部材２２のガイドローラーは，これを各端部において走行方向に複数，例えば一対を直列に配置することによって，吊りレール１２に対する上吊り部材２２の走行時直進性を可及的高度に確保して，サッシ戸２０の引き違い開閉を，その振れを防止した状態で安定且つ確実になし得るようにしてある。
【００１３】
サッシ戸上框２１は，引き違いサッシ戸２０の横幅に相応した戸体幅と略同長の長尺バー材にして引き違いサッシ戸２０の上端に位置して伸張した引き違い開閉の状態で該引き違いサッシ戸２０の上框をなすようにしてあり，本例にあって該サッシ戸上框２１は，これに長手方向に沿う上吊り用ガイドレール２３を設置し，該ガイドレール２３にサッシ戸パネル部３０の幅方向端部に上方突出するように設置した吊り部材３８を懸架することによって，上記幅方向端部をサッシ戸上框２１長手方向にスライド自在としたものとしてあり，本例のサッシ戸上框２１は，例えば下向き開口の断面コ字状乃至Ｃ字状にしてその室外側フィンの下端部から室内側に向けて上吊り用ガイドレール２３を水平に突出するように設置する一方，その室内側フィンを該ガイドレール２３の高さ位置より下方に延設してその下端部に，後述のサッシ戸パネル部３０上部間に配置した気密材４０を備えたものとして構成してある。
【００１４】
サッシ戸パネル部３０は，本例にあって，一対のパネル要素３１と，該一対のパネル要素３１間に該パネル要素３１を回動自在とするように介設した中間回動枠３４と，上記一対のパネル要素３１を回動自在とするように連結配置した戸先框３５及び召合框３６とを備えてＶ字状折畳み自在とし，該戸先框３５及び召合框３６の一方又は双方を他方の固定又は吊り支持した状態でサッシ戸上框２１長手方向にスライド自在としたものとしてある。
【００１５】
本例のパネル要素３１は，例えば引き違いサッシ戸２０の略１／２幅の横幅を有するように，上下の横枠と左右の縦枠を枠組みした縦長矩形枠３２にガラス３３を嵌め込み設置したものを用い，各パネル要素３１の幅方向内側の縦枠を上記中間回動枠３４にヒンジ３７連結する一方，幅方向外側の縦枠をそれぞれ戸先框３５と召合框３６に同様にヒンジ３７連結することによって，サッシ戸パネル部３０において幅方向端部に位置する左右の縦框をなす戸先框３５及び召合框３６を上記サッシ戸上框２１に支持した状態で，その一方，例えば召合框３６を上吊り用ガイドレール２３にスライドすることによって，上記中間回動枠３４を該上吊り用ガイドレール２３位置から室内外方向，本例にあっては室内方向に向けて脱出させるようにＶ字状の折畳みを行なうようにしてある。
【００１６】
本例のサッシ戸パネル部３０においてその幅方向端部の左右の縦框である戸先框３５及び召合框３６は，例えばその一方の戸先框３５を上記サッシ戸上框２１の長手方向端部に，該サッシ戸上框２１と正面Ｌ字状を呈するように固定し，該固定によってサッシ戸パネル部３０をその片側で支持する一方，サッシ戸パネル部３０を同じく支持した他方の召合框３６の上方にパネル吊り部材３８，本例にあっては上記上吊り用ガイドレール２３に転動自在のガイドローラーを設置するとともに下方に上記引き違いサッシ戸２０の，本例にあって振止用水平ローラーとした振止部材３９を設置し，上記パネル吊り部材３８を上記上吊り用ガイドレール２３に走行自在に載置係合してその懸架を行うとともに上記のように振止部材３９を溝レール１４に嵌挿係合し，下端を振止した上記幅方向端部一方の召合框３６を，上吊り用ガイドレール２３長手方向にスライド走行することによって，サッシ戸上框２１に固定状態の戸先框３５とサッシ戸上框２１に吊り支持状態の召合框３６間でこれらにヒンジ３７連結した上記サッシ戸パネル部３０をＶ字状折畳み自在とするようにしてある。
【００１７】
このとき本例の上記パネル吊り部材３８をなすガイドローラーは，同様に，これを引き違いサッシ戸２０の端部，本例にあっては上記召合框３６上方に走行方向に複数，例えば一対を直列に配置することによって，上吊り用ガイドレール２３に対する走行時直進性を可及的高度に確保して，召合框３６のスライド走行とこれによるサッシ戸パネル部３０の折畳みを安定且つ確実になし得るようにしてある。
【００１８】
本例の折畳み引き違いサッシＡは高気密性を確保したものとしてあり，上記サッシ戸上框２１とサッシ戸パネル部３０上部間気密材４０を配置するとともに下枠１３とサッシ戸パネル部３０下部間，本例にあっては各サッシ戸パネル部３０の室内側において気密材４０を配置したものとし，またサッシ枠１０の縦枠１５と引き違いサッシ戸２０の上記戸先框３５間，引き違いサッシ戸２０の上記召合框３６間に同様に気密材４０を配置し，更に本例にあっては上記パネル要素３１の縦枠と中間回動枠３４，戸先框３５及び召合框３６間に同じく気密材４０を配置したものとしてあり，これによって引き違いサッシ戸２０を閉成した際に室内外を遮断して，その気密性を高度に確保し得るようにしてある。
【００１９】
また折畳み引き違いサッシＡは，これが折畳みと引き違い双方の開閉を可能としたことによって，引き違い開閉に際して引き違いサッシ戸２０が折畳まれるといった予想外の誤動作の可能性が生じるため，本例にあっては上記引き違いサッシ戸２０が，その引き違い開閉状態で折畳みを防止自在とするようにサッシ戸上框２１とサッシ戸パネル部３０間に係脱自在のロック４１を備えたものとしてあり，本例のロック４１は，例えばこれを，サッシ戸パネル部３０の中間に位置して折畳み時に室内外方向に脱出する中間回動枠３４に内蔵し，例えば室内側から操作自在のグレモン機構を備えて上下に突没自在としたグレモンロックとしてあり，そのロック時に上端から突出したロック部材，例えば昇降軸に設置したローラーブロックがサッシ戸上框２１に係合乃至係止し，下端から突出したロック部材，例えば同様にローラーブロックが溝レール１４に転動自在に嵌挿係合するようにして，ロック状態で中間回動枠３４が，サッシ戸上框２１及び下枠１３から脱出するのを阻止するようにして，そのロックを行なうものとしてある。
【００２０】
以上のように構成した本例の折畳み引き違いサッシＡは，サッシ枠１０の上吊り用上枠１１を引き違いサッシ戸２０の引き違い開閉の開閉案内専用とする一方，引き違いサッシ戸２０をサッシ戸上框２１とサッシ戸パネル部３０とを備えて構成するとともに該サッシ戸上框２１に対してサッシ戸パネル部３０を幅方向に折畳み自在とすることによって，上記サッシ枠１０に引き違いサッシ戸２０を上吊り装着した状態でサッシ枠１０から独立して単独に折畳めるようにすることによって，スムーズな引き違い開閉と安定した折畳み開閉の双方を確実になし得て，サッシ枠１０にサッシ戸脱出用の切り欠きを不要としたものとすることができるとともに高度な気密性と引き違い開閉に際してサッシ戸２０が誤って折畳まれる誤動作防止機能を備えたものとすることができる。
【００２１】
図中４２はクレセント，４３は戸当りブロックを示す。
【００２２】
図示した例は以上のとおりとしたが，各縦框にサッシ戸上框の上吊り用ガイドレールに走行自在のパネル吊り部材を設置して，サッシ戸パネル部の幅方向両端部をそれぞれサッシ戸上框にスライド自在とするように上記パネル吊り部材によって吊り支持し，サッシ戸上框長手方向にその双方によるスライド走行して引き違いサッシ戸を折畳めるようにすること，このとき必要に応じてその一方又は双方を施錠装置等によって施開錠自在にサッシ戸上框に固定し得るようにすること，サッシ枠に４枚の引き違いサッシ戸を上吊り装着して折畳み引き違いサッシを４枚戸として構成するようにすること，この場合中間に位置する２枚の引き違いサッシ戸について召合框と合掌框の一方，例えば召合框をサッシ戸上框に固定し，他方，例えば合掌框をサッシ戸上框に同様にスライド自在とすることによって，その折畳みを自在とするようにし，また気密材を設置するとき合掌框間にも介設するようにすること，上記Ｖ字状折り畳み自在のサッシ戸パネル部に代えて，偶数にして多数枚のパネル要素と，各パネル要素間に室内外交互に脱出するように介設してこれらパネル要素を連結する複数の中間回動枠を備えて上記戸先框と召合框又は合掌框間で蛇腹状折畳み自在としたサッシ戸パネル部を用いたものとすること等を含めて，本発明の実施に当って，折畳み引き違いサッシ，サッシ枠，引き違いサッシ戸，サッシ戸上框，サッシ戸パネル部，必要に応じて用いる気密材，ロック，上吊り用ガイドレール，パネル吊り部材，パネル要素，中間回動枠，戸先框，召合框，ヒンジ等の各具体的形状，構造，材質，寸法，数，これらの関係，これらに対する付加等は，上記発明の要旨に反しない限り様々の形態のものとすることができる。
【００２３】
【発明の効果】
本発明は以上のとおりに構成したから，請求項１に記載の発明は，折畳みシャッターのように，サッシ枠にサッシ戸を上吊り装着するとともに該サッシ戸を上吊り装着したサッシ枠の上下枠を，引き違いサッシのように，サッシ戸の引き違い開閉の開閉案内専用とする一方，サッシ戸を上框とパネル部分とを備えて構成するとともに該上框に対してパネル部分を幅方向に折畳み自在とすることによって，上記サッシ枠にサッシ戸を上吊り装着した状態で，サッシ戸をサッシ枠から独立して単独に折畳めるようにすることによって，引き違い開閉と折畳み開閉の双方を可能とするとともにサッシ枠にサッシ戸脱出用の切り欠きを不要とした折り畳み引き違いサッシを提供することができる。
【００２４】
請求項２に記載の発明は，上記に加えて，折畳み引き違いサッシ戸としての気密性を，簡易且つ確実に確保し得る形態とすることができる。
【００２５】
請求項３に記載の発明は，同じく上記に加えて，折畳み開閉と引き違い開閉の双方を可能とすることによって，引き違い開閉に際してサッシ戸が誤って折畳まれる誤動作を防止して引き違い開閉を安定且つ確実になし得る形態とすることができる。
【００２６】
請求項４に記載の発明は，同じく上記に加えて，サッシ戸における上框に対してパネル部分の折畳み開閉を可及的安定且つ確実になし得る形態とすることができる。
【００２７】
請求項５に記載の発明は，同じく上記に加えて，上記サッシ戸パネル部を上記Ｖ字状折り畳み自在のものに代えて蛇腹状折り畳み自在のものとすることができる。
【図面の簡単な説明】
【図１】  折畳み引き違いサッシの室外側の正面図である。
【図２】  折畳み引き違いサッシの構造を示す縦断面図である。
【図３】  折畳み引き違いサッシの構造を示す横断面図である。
【図４】  引き違いサッシ戸の折畳み状態を示す横断面図である。
【図５】  引き違いサッシ戸の折畳み状態を示す室外側の部分正面図である。
【符号の説明】
Ａ  折畳み引き違いサッシ
１０  サッシ枠
１１  上枠
１３  下枠
２０  引き違いサッシ戸
２１  サッシ戸上框
２２  上吊り部材
２３  ガイドレール
３０  サッシ戸パネル部
３１  パネル要素
３４  中間回動枠
３５  戸先框
３６  召合框
３８  パネル吊り部材
【図１】
0004822632.tif 000002
【図２】
0004822632.tif 000003
【図３】
0004822632.tif 000004
【図４】
0004822632.tif 000005
【図５】
0004822632.tif 000006